(57)【要約】      （修正有）【課題】低音及び高音が完全に表現され、良好な音質を有するイヤホンを提供する。【解決手段】イヤホンは、スピーカユニットと、中空状を呈してスピーカユニットを収容し、音室と開口を具え、開口が該スピーカユニットと鋭角角度を呈するカバーと、カバーの開口部分に置かれ、その一端が音室に接続され、別端が開口より突き出た導音管と、を包含し、開口とスピーカユニットが鋭角角度を呈する。【選択図】図３Ｂ
0003170007.tif 000002
【実用新案登録請求の範囲】
【請求項１】
イヤホンにおいて、
スピーカユニットと、
中空状を呈して該スピーカユニットを収容し、音室と開口を具え、該開口が該スピーカユニットと鋭角角度を呈するカバーと、
該カバーの該開口部分に置かれ、その一端が該音室に接続され、別端が該開口より突き出た導音管と、
を包含したことを特徴とする、イヤホン。
【請求項２】
請求項１記載のイヤホンにおいて、該カバーは上カバーと下カバーで構成されたことを特徴とする、イヤホン。
【請求項３】
請求項２記載のイヤホンにおいて、該上カバーは円弧形を呈し、該下カバーは略逆三角形を呈することを特徴とする、イヤホン。
【請求項４】
請求項３記載のイヤホンにおいて、該音室及び該開口は該下カバーに設置されることを特徴とする、イヤホン。
【請求項５】
請求項４記載のイヤホンにおいて、該スピーカユニットは該上カバーと該下カバーの間に挟設され、並びに該音室に連通することを特徴とする、イヤホン。
【請求項６】
請求項１或いは５記載のイヤホンにおいて、該鋭角角度は６０度から７０度とされることを特徴とする、イヤホン。
【請求項７】
請求項６記載のイヤホンにおいて、該開口と該スピーカユニットの間に長さ距離距離と高さ距離距離があることを特徴とする、イヤホン。
【請求項８】
請求項７記載のイヤホンにおいて、該長さ距離は５ｍｍ±１ｍｍとされ、それは該スピーカユニットの中心位置を始点として該開口の中心頂点までの水平距離であり、該高さ距離は、８ｍｍ±１ｍｍとされ、それは該スピーカユニットの中心位置を始点として該開口の中心頂点Ｐまでの垂直距離であることを特徴とする、イヤホン。
【請求項９】
請求項８記載のイヤホンにおいて、該導音管の該カバーの開口より突き出た端部にプラグ部が嵌合されたことを特徴とする、イヤホン。
【請求項１０】
請求項９記載のイヤホンにおいて、該導音管は該プラグ部と傾斜角度を呈することを特徴とする、イヤホン。
【請求項１１】
請求項１０記載のイヤホンにおいて、該プラグ部はシリコーンゴム或いはその他の軟性ゴムで形成されたことを特徴とする、イヤホン。
【考案の詳細な説明】
【技術分野】
【０００１】
本考案はイヤホンの構造に係り、特に各種耳朶の使用者の使用に供され、良好なフィット感と高音質を有するイヤホンに関する。
【背景技術】
【０００２】
科学技術の不断の進歩に伴い、電子製品は、軽量化、コンパクト化、ミニ化の方向に発展し、いつでもどこでも使用できるミニ化された電子製品或いは個人デジタル製品が次第に普及し、たとえば、ＭＰ３プレイヤー、携帯電話、携帯情報端末（ＰＤＡ）或いはノートパソコンは、日常生活に不可欠となっている。このほか、ラジオとＭＰ３機能を結合させた携帯電話も出現している。
【０００３】
上述のどの種類の電子製品であっても、使用者が近傍の人を邪魔しない状態で、電子製品の提供する音声情報を聴くために、イヤホンは電子製品の必要なアクセサリとなっている。このほか、イヤホンはまた、使用者に良好な音声伝送を提供し、使用者が明確に音声内容を聞き取り了解できるようにし、空気中で伝送される音声のような不明確な状況を形成せず、特に使用者が移動する期間、運動、激しい活動或いはうるさく混雑した環境にあっても、影響を受けない。
【考案の概要】
【考案が解決しようとする課題】
【０００４】
しかし、各個人の耳、耳道のサイズ構造はいずれも差異があるため、イヤホンサイズは耳が小さい人にとっては大きく、圧迫感があり快適でなく、耳がイヤホンに設けられた導音管及び導音管後端に配設されたスピーカ等の部品の重量を支えなければならない。
【０００５】
後に、ある関係業者はイヤホンの導音管外部をプラグ部で被覆し、プラグ部により耳の代わりにその重量を支持するようにしたが、周知のスピーカは大きいか或いは長く、耳内に挿入できず、イヤホンの導音管を耳内に装着する時、その後端はやや下垂した状態を呈し、このためにプラグ部が該スピーカの中心位置より外れ、すなわちスピーカーが伝送する音声が導音管を経てさらに使用者の耳に伝えられる時、その音質は変調されてしまう場合があり、最も容易に発生するのは、低音が正常な音質で、高音の音質が悪くなり、音質効果が不良となることである。
【０００６】
このため、イヤホン構造の改良は、必然的に避けられない課題となっている。
【課題を解決するための手段】
【０００７】
本考案のイヤホンは、スピーカユニットと、中空状を呈して該スピーカユニットを収容し、音室と開口を具え、該開口が該スピーカユニットと鋭角角度を呈するカバーと、該カバーの開口部分に置かれ、その一端が該音室に接続され、別端が該開口より突き出た導音管と、を包含する。
【考案の効果】
【０００８】
本考案のイヤホンは、該開口と該スピーカユニットが鋭角角度を呈することで、低音及び高音が完全に表現され、良好な音質を有する。
【図面の簡単な説明】
【０００９】
【図１】本考案の立体図である。
【図２Ａ】図１の正面図である。
【図２Ｂ】図２Ａのａ−ａ断面図である。
【図３Ａ】図１の背面図である。
【図３Ｂ】図３Ａのｂ−ｂ断面図である。
【図４】図３Ｂの耳朶への装着上の実施例表示図である。
【図５】図４の右側面図である。
【図６】本考案のプラグ部を含まない表示図である。
【考案を実施するための形態】
【００１０】
本考案の技術内容、構造特徴、達成する目的を詳細に説明するため、以下に実施例を挙げ並びに図面を組み合わせて説明する。
【００１１】
まず、図１から図３に示されるように、本考案のイヤホンは、符号１で表示され、それはスピーカユニット１０、カバー２０、及び導音管３０を包含する。
【００１２】
そのうち、該スピーカユニット１０は、電子信号を変換してなる音波信号の音声を伝送するのに用いられる。
【００１３】
該カバー２０は、中空状を呈し、上カバー２１と下カバー２２で構成され、上カバー２１は円弧形を呈し、該下カバー２２は略逆三角形を呈し並びに音室２２１と開口２２２を有する。且つ上カバー２１及び下カバー２２の間に、該スピーカユニット１０が挟まれ、収容され、スピーカユニット１０は音室２２１と連通してスピーカユニット１０が発生する音声は音室２２１中で共振効果を発生する。
【００１４】
該開口２２２とスピーカユニット１０の間には長さ距離Ｘと高さ距離Ｙがあり、長さ距離Ｘは５ｍｍ±１ｍｍとされ、それはスピーカユニット１０の中心位置Ｑを始点として開口２２２の中心頂点Ｐまでの水平距離である。高さ距離Ｙは、８ｍｍ±１ｍｍとされ、それはスピーカユニット１０の中心位置Ｑを始点として開口２２２の中心頂点Ｐまでの垂直距離であり、且つ開口２２２とスピーカユニット１０の中心位置に接近する位置は６０度から７０度の鋭角角度θを呈する。
【００１５】
該導音管３０は、該下カバー２２の開口２２２部分に置かれ、その一端は該音室２２１に接続され、別端は該開口２２２より突き出し、これにより、導音管３０と該スピーカユニット１０は６０−７０度の鋭角角度θを呈し、これにより良好な音質を提供する。
【００１６】
且つ導音管３０の該カバー２０の開口２２２より突出する端に、着脱式プラグ部３１を配置可能で、且つ該プラグ部３１は該導音管３０と、傾斜角度を呈し、並びに耳穴４２の方向に向けて設けられ、図４に示されるように、耳穴４２中を塞いで外界雑音を耳４０中に進入させにくくする。該プラグ部３１はシリコーン樹脂或いはその他の軟性ゴムで形成され、これにより長期使用でも不快感をもたらさない。
【００１７】
図４及び図５に示されるように、実施時には、下カバー２２が略逆三角形を呈する構造設計、及び、該プラグ部３１と該導音管３０が傾斜角度を呈することから、該導音管３０が使用者の耳穴４２に配置される時、該プラグ部３１がちょうど耳穴４２内を塞ぎ、外界の雑音が耳４０に入るのを防止し、且つ該カバー２０の円弧形及び逆三角形の構造設計により、使用者は耳廊４１中に入れたイヤホン１を位置決めでき、並びに該耳廊４１によりイヤホン１の重量を支持できる。
【００１８】
これによりスピーカユニット１０のサイズが大きく重い時も、安定した装着感を得ることができ、且つカバー２０の構造により、スピーカユニット１０は下垂状態を呈することがなく、或いは該導音管３０と分離状態を呈し、並びにスピーカユニット１０の中心位置Ｑを始点とし、水平方向に５ｍｍ±１ｍｍ、垂直方向に８ｍｍ±１ｍｍ移動させ、並びに６０度−７０度の鋭角角度θを呈するように、該カバー２０の開口２２２が開設されて、導音管３０が通され、こうして、高音、低音の音質を完全に表現できるものとされる。
【００１９】
本考案の実施可能な実施例によると、該プラグ部３１は該導音管３０に対して着脱可能であり（図６のとおり）、これにより、該プラグ部３１を各耳穴４２の大きさに基づいて異なるサイズに製造でき、使用者が適合するプラグ部３１を選択して取り付けることで、イヤホン１の密閉性を増すことができ、また、該イヤホン１の機能性を向上できる。例えばイヤホン１の衛生性を向上でき、該プラグ部３１を取り外した後に、イヤホン１を他人に貸しても、耳垢等の汚物による相互間の伝染が防止でき、或いはプラグ部３１が破損するか汚れた時、該プラグ部３１を交換するだけでよい。
【００２０】
以上の実施例は説明の便のために提示されたものであって、本考案を限定するものではなく、本考案の属する領域における通常の知識を有する者がなし得る各種の変化と修飾は、いずれも本考案の精神範疇内に属するものとする。
【符号の説明】
【００２１】
１  イヤホン
１０  スピーカユニット
２０  カバー
２１  上カバー
２２  下カバー
２２１  音室
２２２  開口
３０  導音管
３１  プラグ部
４０  耳
４１  耳廓
４２  耳穴
θ  鋭角角度
Ｐ  中心頂点
Ｑ  中心位置
Ｘ  長さ距離
Ｙ  高さ距離
【図１】
0003170007.tif 000003
【図２Ａ】
0003170007.tif 000004
【図２Ｂ】
0003170007.tif 000005
【図３Ａ】
0003170007.tif 000006
【図３Ｂ】
0003170007.tif 000007
【図４】
0003170007.tif 000008
【図５】
0003170007.tif 000009
【図６】
0003170007.tif 000010
【手続補正書】
【提出日】平成23年6月24日(2011.6.24)
【手続補正１】
【補正対象書類名】実用新案登録請求の範囲
【補正対象項目名】全文
【補正方法】変更
【補正の内容】
【実用新案登録請求の範囲】
【請求項１】
イヤホンにおいて、
スピーカユニットと、
中空状を呈して該スピーカユニットを収容し、音室と開口を具え、該開口が該スピーカユニットと鋭角角度を呈するカバーと、
該カバーの該開口部分に置かれ、その一端が該音室に接続され、別端が該開口より突き出た導音管と、
を包含したことを特徴とする、イヤホン。
【請求項２】
請求項１記載のイヤホンにおいて、該カバーは上カバーと下カバーで構成されたことを特徴とする、イヤホン。
【請求項３】
請求項２記載のイヤホンにおいて、該上カバーは円弧形を呈し、該下カバーは略逆三角形を呈することを特徴とする、イヤホン。
【請求項４】
請求項３記載のイヤホンにおいて、該音室及び該開口は該下カバーに設置されることを特徴とする、イヤホン。
【請求項５】
請求項４記載のイヤホンにおいて、該スピーカユニットは該上カバーと該下カバーの間に挟設され、並びに該音室に連通することを特徴とする、イヤホン。
【請求項６】
請求項１或いは５記載のイヤホンにおいて、該鋭角角度は６０度から７０度とされることを特徴とする、イヤホン。
【請求項７】
請求項６記載のイヤホンにおいて、該開口と該スピーカユニットの間に長さ距離と高さ距離があり、該長さ距離は５ｍｍ±１ｍｍとされ、それは該スピーカユニットの中心位置を始点として該開口の中心頂点までの水平距離であり、該高さ距離は、８ｍｍ±１ｍｍとされ、それは該スピーカユニットの中心位置を始点として該開口の中心頂点Ｐまでの垂直距離であることを特徴とする、イヤホン。
【請求項８】
請求項７記載のイヤホンにおいて、該導音管の該カバーの開口より突き出た端部にプラグ部が嵌合されたことを特徴とする、イヤホン。
【請求項９】
請求項８記載のイヤホンにおいて、該導音管は該プラグ部と傾斜角度を呈することを特徴とする、イヤホン。
【請求項１０】
請求項９記載のイヤホンにおいて、該プラグ部はシリコーンゴム或いはその他の軟性ゴムで形成されたことを特徴とする、イヤホン。